【手続補正書】
【提出日】平成30年4月19日(2018.4.19)
【手続補正１】
【補正対象書類名】明細書
【補正対象項目名】００４０
【補正方法】変更
【補正の内容】
【００４０】
上記の説明及び実例に基づいて、本明細書で図示及び説明した例示的な実施形態及び適用例に厳密に従うことなく本開示に様々な修正及び変更を行えることが容易に理解され得る。例えば、様々な異なる種類のレジスタ、通信プロトコル、及びデータが、本明細書で説明した１つ以上の方法を使用して伝達され得る。このような修正は、以下の請求項の説明を含め、本開示の本来の趣旨及び範囲から逸脱しない。
本発明の実施態様の一部を以下の〔態様１〕−〔態様２０〕に記載する。
〔態様１〕
流体保守現場で動作する流体フィルタモニタ装置であって、
流体フィルタと、前記流体フィルタを通って流れる流体を特徴付けるパラメータを提供するように構成及び配置されたセンサと、無線インタフェース回路と、を備え、
前記無線インタフェース回路は、
モバイルデータ処理デバイスが前記流体保守現場に近接している間に、認証プロトコルによって定義された認証データを前記モバイルデータ処理デバイスに伝達することによって、設定モードで動作し、
前記認証プロトコルに従って、無線通信媒体及びブロードバンド接続を介して遠隔配置サーバに無線で前記パラメータを送信することによって、通常動作モードで動作するように構成及び配置される、流体フィルタモニタ装置。
〔態様２〕
前記遠隔配置サーバを更に含み、前記遠隔配置サーバは、前記パラメータを前記流体フィルタに対応するフィルタ識別情報と相互に関連付けるエントリを有するデータベースを含む、態様１に記載の流体フィルタモニタ装置。
〔態様３〕
前記遠隔配置サーバを更に含み、前記遠隔配置サーバは、フィルタ識別情報又は前記流体フィルタを前記モバイルデータ処理デバイスに対応するオペレータ識別情報と相互に関連付けるエントリを有するデータベースを含む、態様１に記載の流体フィルタモニタ装置。
〔態様４〕
前記モバイルデータ処理デバイスを含む１組のモバイルデータ処理デバイスを更に含み、前記１組のモバイルデータ処理デバイスは、前記認証プロトコルに従って前記無線インタフェース回路に無線で認証データを伝達することによって前記設定モードで動作し、その後、前記流体フィルタの動作又は保守情報に対応する情報にアクセスするために前記遠隔配置サーバと通信するように、プログラムによって構成及び配置される、態様１に記載の流体フィルタモニタ装置。
〔態様５〕
前記モバイルデータ処理デバイスを含む１組のモバイルデータ処理デバイスを更に含み、前記１組のモバイルデータ処理デバイスは、前記認証プロトコルに従って前記無線インタフェース回路に認証データを伝達することによって前記設定モードで動作し、その後、前記流体フィルタの動作又は保守情報に対応する情報にアクセスするために前記遠隔配置サーバと無線で通信するように、プログラムによって構成及び配置される、態様１に記載の流体フィルタモニタ装置。
〔態様６〕
前記遠隔配置サーバ及び前記モバイルデータ処理デバイスを更に含み、前記遠隔配置サーバは、前記パラメータを前記流体フィルタに対応するフィルタ識別情報と相互に関連付け、かつ前記流体フィルタの前記識別情報を前記モバイルデータ処理デバイスに対応するオペレータ識別情報と相互に関連付けるエントリを有するデータベースを含み、前記モバイルデータ処理デバイスは、前記認証プロトコルに従って前記無線インタフェース回路に認証データを伝達することによって前記設定モードで動作するようにプログラムによって構成及び配置され、前記モバイルデータ処理デバイスを含む１組のモバイルデータ処理デバイスが、前記流体フィルタの動作又は保守情報に対応する情報にアクセスするために前記遠隔配置サーバと通信するように構成及び配置される、態様１に記載の流体フィルタモニタ装置。
〔態様７〕
態様１に記載の別の流体フィルタモニタ装置を更に含み、前記１番目に記載した流体フィルタモニタ装置及び前記別の流体フィルタモニタ装置のそれぞれは前記遠隔配置サーバと通信するように構成及び配置される、態様１に記載の流体フィルタモニタ装置。
〔態様８〕
前記１番目に記載した流体フィルタモニタ装置及び前記別の流体フィルタモニタ装置は前記流体保守現場で相互に近接し、前記２つの流体フィルタモニタ装置の前記無線インタフェース回路のうちの一方をマスタとして割り当て、他方の無線インタフェース回路をスレーブとして割り当てることによって、前記流体フィルタのそれぞれのパラメータを前記遠隔配置サーバへと伝達するように構成及び配置され、
前記スレーブ無線インタフェース回路は、前記１番目に記載した流体フィルタモニタ装置の前記センサから流体フィルタパラメータを受信し、前記パラメータを前記マスタ無線インタフェース回路へと送信するように構成及び配置され、
前記マスタ無線インタフェース回路は、前記スレーブ無線インタフェース回路からの前記送信を受信し、２番目に記載した流体フィルタモニタ装置の前記センサから流体フィルタパラメータを受信し、前記１番目に記載した流体フィルタモニタ装置及び前記２番目に記載した流体フィルタモニタ装置の前記パラメータを前記遠隔配置サーバへと送信するように構成及び配置される、態様７に記載の流体フィルタモニタ装置。
〔態様９〕
装置であって、
第１の流体保守現場で動作する第１の流体フィルタモニタと、第２の流体保守現場で動作する第２の流体フィルタモニタと、を備え、前記第１及び第２の流体フィルタモニタのそれぞれは、流体フィルタと、前記流体フィルタを通って流れる流体を特徴付けるパラメータを提供するように構成及び配置されたセンサと、無線インタフェース回路とを備え、
遠隔配置サーバは、前記第１及び第２の流体保守現場の前記それぞれの流体フィルタの前記パラメータに対応し、かつそれらを示す識別情報を相互に関連付けるエントリを有するデータベースを含み、
前記第１の流体フィルタモニタの前記無線インタフェース回路は、
少なくとも１つのモバイルデータ処理デバイスが前記流体保守現場に近接している間に、認証プロトコルによって規定された認証データを前記少なくとも１つのモバイルデータ処理デバイスに伝達することによって設定モードで動作し、
前記認証プロトコルに従って、無線通信媒体及びブロードバンド接続を介して前記遠隔配置サーバに無線で前記パラメータを送信することによって、通常動作モードで動作するように構成及び配置され、
前記第２の流体フィルタモニタの前記無線インタフェース回路は、
前記少なくとも１つのモバイルデータ処理デバイスが前記流体保守現場に近接している間に、認証プロトコルによって規定された認証データを、少なくとも１つの無線通信媒体を介して前記少なくとも１つのモバイルデータ処理デバイスに伝達することによって設定モードで動作し、
前記認証プロトコルに従って、無線通信媒体及びブロードバンド接続を介して前記遠隔配置サーバに無線で前記パラメータを送信することによって通常動作モードで動作するように構成及び配置され、前記遠隔配置サーバは、前記パラメータに基づき状態情報を保守し、前記第１の流体フィルタモニタ及び前記第２の流体フィルタモニタのそれぞれの前記状態を示す通知を伝達するように構成及び配置される、装置。
〔態様１０〕
前記遠隔配置サーバに記憶された、前記第１の流体保守現場の前記流体フィルタ及び前記第２の流体保守現場の前記流体フィルタのうちの少なくとも１つの動作又は保守情報に対応する情報にアクセスするようにプログラム及び配置された前記少なくとも１つのモバイルデータ処理デバイスを更に備える、態様９に記載の装置。
〔態様１１〕
前記データベースエントリは、前記識別情報を、前記第１及び第２の流体保守現場の前記それぞれの流体フィルタのうちの少なくとも１つに関する前記データベース上の情報にアクセスすることを認可されたユーザと更に相互に関連付ける、態様９に記載の装置。
〔態様１２〕
前記データベースエントリは、前記識別情報を、前記第１及び第２の流体保守現場の前記それぞれの流体フィルタのうちの少なくとも１つに関する前記データベース上の情報にアクセスすることを認可された前記少なくとも１つのモバイルデータ処理デバイスと更に相互に関連付ける、態様９に記載の装置。
〔態様１３〕
前記データベースエントリは、前記識別情報を、前記第１及び第２の流体保守現場の前記それぞれの流体フィルタのうちの少なくとも１つに関する前記データベース上の情報にアクセスすることを認可されたユーザ、並びに前記第１及び第２の流体保守現場の前記それぞれの流体フィルタのうちの少なくとも１つに関する前記データベース上の情報にアクセスすることを認可された前記少なくとも１つのモバイルデータ処理デバイスと更に相互に関連付ける、態様９に記載の装置。
〔態様１４〕
前記パラメータは、流体フィルタの使用期間、濾過された流体の体積、流体の送達圧力、フィルタによって誘起された圧力降下、流体の純度、流体の酸性度、流体の温度、及び他の化学又は粒子分析のうちの少なくとも１つを含む、態様９に記載の装置。
〔態様１５〕
前記遠隔配置サーバは、複数の流体フィルタモニタを監視し、監視されたパラメータがプログラムされた閾値レベルを超えたことに基づき顧客又は整備業者に通知を行うように構成及び配置される、態様９に記載の装置。
〔態様１６〕
前記遠隔配置サーバは、前記流体フィルタモニタが、前記無線インタフェース回路のプログラムされた断続的なパラメータアップロード期間よりも長い期間にわたって前記流体フィルタの前記パラメータを前記遠隔配置サーバへと送信できなかったときに、前記流体フィルタに関連付けられた顧客又は整備業者に通知を行うように構成及び配置される、態様９に記載の装置。
〔態様１７〕
前記モバイルデータ処理デバイスは、顧客に関連付けられた複数の流体フィルタ又は整備業者に関連付けられた別の複数の流体フィルタに関するパラメータを含むデータを、前記遠隔配置サーバから受信するように構成及び配置される、態様９に記載の装置。
〔態様１８〕
前記遠隔配置サーバの前記データベースは、前記流体フィルタのパラメータを記憶し、各パラメータ値の経時的な逸脱を監視し、前記逸脱がプログラムされた閾値を超えたときに、フィルタ識別情報に関連付けられた整備業者に通知を行うように構成及び配置される、態様９に記載の装置。
〔態様１９〕
前記遠隔配置サーバは、前記流体フィルタモニタが、閾値を超えた、フィルタ寿命に関するパラメータを報告したときに、フィルタ識別情報に関連付けられたモバイルデータ処理デバイス又は顧客に通知を行うように構成及び配置される、態様９に記載の装置。
〔態様２０〕
流体保守現場で流体フィルタモニタを使用して流体フィルタを動作させ、かつそれを保守する方法であって、
前記流体フィルタモニタを設定モードで動作させ、オペレータ認証データを待機することと、
少なくとも１つのモバイルデータ処理デバイスが前記流体保守現場に近接している間に、少なくとも１つの無線通信媒体を介して、認証プロトコルによって規定されたオペレータ認証データを、前記少なくとも１つのモバイルデータ処理デバイスから受信することと、
前記認証プロトコルに従って、前記流体フィルタを通って流れる流体を特徴付けるパラメータを、ブロードバンド通信媒体を介して遠隔配置サーバへと送信することによって、通常動作モードを開始することと、
前記遠隔配置サーバで前記パラメータを分析し、前記パラメータのうちのいずれかがプログラムされた閾値限度外であるかどうかを特定することと、
前記遠隔配置サーバから、前記流体フィルタモニタの一意のフィルタ識別情報に関連付けられた前記モバイルデータ処理デバイスへと通知を送信することと、
前記流体フィルタモニタの一意のフィルタ識別情報に関連付けられた前記少なくとも１つのモバイルデータ処理デバイスを通じて、顧客又は整備業者に、前記パラメータのうちのいずれかがプログラムされた閾値限度外である場合に、前記プログラムされた閾値限度外のパラメータについて通知することと、
前記流体フィルタを整備し、それによって前記プログラムされた閾値限度外の前記パラメータを前記プログラムされた閾値限度内にすることと、を含む、方法。
【手続補正２】
【補正対象書類名】特許請求の範囲
【補正対象項目名】全文
【補正方法】変更
【補正の内容】
【特許請求の範囲】
【請求項１】
流体保守現場で動作する流体フィルタモニタ装置であって、
流体フィルタと、前記流体フィルタを通って流れる流体を特徴付けるパラメータを提供するように構成及び配置されたセンサと、無線インタフェース回路と、を備え、
前記無線インタフェース回路は、
モバイルデータ処理デバイスが前記流体保守現場に近接している間に、認証プロトコルによって定義された認証データを前記モバイルデータ処理デバイスに伝達することによって、設定モードで動作し、
前記認証プロトコルに従って、無線通信媒体及びブロードバンド接続を介して遠隔配置サーバに無線で前記パラメータを送信することによって、通常動作モードで動作するように構成及び配置される、流体フィルタモニタ装置。
【請求項２】
前記遠隔配置サーバを更に含み、前記遠隔配置サーバは、フィルタ識別情報又は前記流体フィルタを前記モバイルデータ処理デバイスに対応するオペレータ識別情報と相互に関連付けるエントリを有するデータベースを含む、請求項１に記載の流体フィルタモニタ装置。
【請求項３】
装置であって、
第１の流体保守現場で動作する第１の流体フィルタモニタと、第２の流体保守現場で動作する第２の流体フィルタモニタと、を備え、前記第１及び第２の流体フィルタモニタのそれぞれは、流体フィルタと、前記流体フィルタを通って流れる流体を特徴付けるパラメータを提供するように構成及び配置されたセンサと、無線インタフェース回路とを備え、
遠隔配置サーバは、前記第１及び第２の流体保守現場の前記それぞれの流体フィルタの前記パラメータに対応し、かつそれらを示す識別情報を相互に関連付けるエントリを有するデータベースを含み、
前記第１の流体フィルタモニタの前記無線インタフェース回路は、
少なくとも１つのモバイルデータ処理デバイスが前記流体保守現場に近接している間に、認証プロトコルによって規定された認証データを前記少なくとも１つのモバイルデータ処理デバイスに伝達することによって設定モードで動作し、
前記認証プロトコルに従って、無線通信媒体及びブロードバンド接続を介して前記遠隔配置サーバに無線で前記パラメータを送信することによって、通常動作モードで動作するように構成及び配置され、
前記第２の流体フィルタモニタの前記無線インタフェース回路は、
前記少なくとも１つのモバイルデータ処理デバイスが前記流体保守現場に近接している間に、認証プロトコルによって規定された認証データを、少なくとも１つの無線通信媒体を介して前記少なくとも１つのモバイルデータ処理デバイスに伝達することによって設定モードで動作し、
前記認証プロトコルに従って、無線通信媒体及びブロードバンド接続を介して前記遠隔配置サーバに無線で前記パラメータを送信することによって通常動作モードで動作するように構成及び配置され、前記遠隔配置サーバは、前記パラメータに基づき状態情報を保守し、前記第１の流体フィルタモニタ及び前記第２の流体フィルタモニタのそれぞれの前記状態を示す通知を伝達するように構成及び配置される、装置。
【請求項４】
前記遠隔配置サーバに記憶された、前記第１の流体保守現場の前記流体フィルタ及び前記第２の流体保守現場の前記流体フィルタのうちの少なくとも１つの動作又は保守情報に対応する情報にアクセスするようにプログラム及び配置された前記少なくとも１つのモバイルデータ処理デバイスを更に備える、請求項３に記載の装置。